(57)【要約】【課題】内蓋ユニットの取り外し操作性を向上させた便利な炊飯器を提供する。【解決手段】上面が開口した本体と、前記本体に収納される鍋と前記本体のヒンジ側で回動自在とするとともに他側を前記本体と係脱自在としてなる外蓋と、前記外蓋の下端面に前記内鍋の上面を覆うように設けた内蓋と、前記鍋を密閉し得る鍋パッキンと、前記外蓋のヒンジ側に設けた保持爪に係合する係止片と、一端に蓋係合部を設けるとともに他端に係止片受け部を有し、前記蓋係合部を前記外蓋に設けた保持部に内方より挿入し、前記係止片を前記保持爪に係合して前記外蓋に装着可能とした内蓋支えからなる内蓋ユニットを有し、前記係止片は前記外蓋開放状態にて使用者から見える位置に操作部が構成され、係止片操作部を略下方へ押し下げることにより前記外蓋に設けた前記保持爪との係合が外れる構成としたことを特徴とした炊飯器とする。【選択図】図１
2008036190.tif 000002
【特許請求の範囲】
【請求項１】
上面が開口した本体と、前記本体に収納される鍋と、前記本体のヒンジ側で回動自在とするとともに他側を前記本体と係脱自在としてなる外蓋と、前記外蓋の下端面に前記鍋の上面を覆うように設けた内蓋とを備え、前記鍋を密閉し得る鍋パッキンと、前記外蓋のヒンジ側に設けた保持爪に係合する係止片と、一端に蓋係合部を設けるとともに他端に係止片受け部を有し、前記蓋係合部を前記外蓋に設けた保持部に内方より挿入し、前記係止片を前記保持爪に係合して前記外蓋に装着可能とした内蓋支えとを設けた内蓋ユニットとを有し、前記係止片は前記外蓋開放状態にて使用者から見える位置に操作部が構成され、操作部を略下方へ押し下げることにより前記外蓋に設けた前記保持爪との係合が外れる構成としたことを特徴とした炊飯器。
【請求項２】
係止片の色を、前記係止片を保持する内蓋支えと異なる明度の色とした請求項１に記載の炊飯器。
【請求項３】
係止片の操作部の幅を、外蓋保持爪に係合する係合爪部よりも大きくして係止片固定構成としてなる請求項１または２に記載の炊飯器。
【請求項４】
外蓋開放状態にて係止片の操作部鉛直方向形状は、本体前方側を後方側より凸としてなる請求項１〜３のいずれか１項に記載の炊飯器。
【請求項５】
係止片の操作部表面を摩擦係数の大きい表面状態としてなる請求項１〜４のいずれか１項に記載の炊飯器。
【請求項６】
外蓋開放状態にて内蓋支えの係止片受け部の前側形状は、係止片の本体前側となる面よりも本体前方側へ凸としてなる請求項１〜５のいずれか１項に記載の炊飯器。
【発明の詳細な説明】
【技術分野】
【０００１】
本発明は炊飯器に関する。
【背景技術】
【０００２】
従来の炊飯器は、本体の内側にセットした鍋の上方開口部を蓋により閉塞する構成を取る中で、お手入れ性の向上のために、外蓋を本体のヒンジ側で回動自在とするとともに他側を本体と係脱自在とし、その外蓋下面に内蓋ユニットを着脱自在に設け、炊飯により汚れた内蓋のみを外して洗浄できるようにしている。内蓋ユニットの装着構成は、図５（ａ）のように外蓋開放姿勢にて、内蓋ユニットの上部を蓋上部に設けられた保持穴に下から差込み、その部位を中心に回動させて下部の係止部にて係合させ固定する方式としている（例えば、特許文献１参照）。図５（ｂ）は係止部の部分断面図である。内蓋ユニットの固定は、外蓋の開閉による衝撃を受けて容易に外れないよう、バネなどにより付勢された係止片などを外蓋の内面の保持爪などに引っ掛けるように固定されるため、取り外し時は係止片を押しながら内蓋ユニットを手前に引くことにより外すようになっている。
【特許文献１】特開２００３−３８３４３号公報
【発明の開示】
【発明が解決しようとする課題】
【０００３】
従来の炊飯器の構成では内蓋ユニットの取り外し時、係止片を上方へ押しながら内蓋ユニットを手前に引き下方へ移動させることにより外すようになっているのだが、使用者から直接には係止片が見えないこと、係止片を上方へ押しつつ内蓋ユニットは手前→下方向へと動かさねばならず、動線が複雑で使いづらくなっている。
【０００４】
本発明の炊飯器は、前記従来の課題を解決するもので、係止片操作部が内蓋ユニットの取り外し時に見える構成とし、かつ、係止片操作部を下方へ押すことにより外蓋内面の保持爪との係合を解除する構成とすることにより、よりシンプルな動線で内蓋ユニットを取り外すことのできる便利な炊飯器を提供することを目的とする。
【課題を解決するための手段】
【０００５】
上記課題を解決するため、本発明の炊飯器は、係止片操作部を内蓋ユニットの取り外し時に見える位置にし、かつ、係止片操作部を下方へ押すことにより外蓋内面の保持爪との係合を解除する構成とすることにより、よりシンプルな動線で内蓋ユニットを取り外すことのできるようにしてなる炊飯器である。
【発明の効果】
【０００６】
本発明の炊飯器は、内蓋ユニットの取り外し性を向上することができる。
【発明を実施するための最良の形態】
【０００７】
第１の発明は、上面が開口した本体と、前記本体に収納される鍋と前記本体のヒンジ側で回動自在とするとともに他側を前記本体と係脱自在としてなる外蓋と、前記外蓋の下端面に前記鍋の上面を覆うように設けた内蓋とを備え、前記鍋を密閉し得る鍋パッキンと、前記外蓋のヒンジ側に設けた保持爪に係合する係止片と、一端に蓋係合部を設けるとともに他端に係止片受け部を有し、前記蓋係合部を前記外蓋に設けた保持部に内方より挿入し、前記係止片を前記保持爪に係合して前記外蓋に装着可能とした内蓋支えとを設けた内蓋ユニットとを有し、前記係止片は前記外蓋開放状態にて使用者から操作部が見える位置に構成され、操作部を略下方へ押し下げることにより前記外蓋に設けた前記保持爪との係合が外れる構成としたことを特徴とした炊飯器で、係止片操作部が内蓋ユニットの取り外し時に認識しやすく、かつ、係止片操作部を下方へ押すことにより蓋内面の保持爪との係合を解除する構成とすることにより、よりシンプルな動線で内蓋ユニットを取り外すことができ、便利である。
【０００８】
第２の発明は、第１の発明において、係止片の色を、係止片を保持する内蓋支えと異なる明度の色とした炊飯器で、係止片が認識しやすく、操作対象が分かりやいために便利である。
【０００９】
第３の発明は、第１または第２の発明において、係止片操作部の幅を、外蓋保持爪に係合する係合爪部よりも大きくして係止片固定構成としてなる炊飯器で、係止片と内蓋支えとの組付けを簡素にできる上、操作部の形状を大きくできるため、さらに便利である。
【００１０】
第４の発明は、第１〜第３のいずれか１つの発明において、外蓋開放状態にて係止片の操作部鉛直方向形状を、本体前方側を後方側より凸としてなる炊飯器で、内蓋ユニットを取り外す時に係止片操作部を略下方へ押した後、手前に引く操作の時に、前方側が凸であるために指が掛かりやすく、便利である。
【００１１】
第５の発明は、第１〜第４のいずれか１つの発明において、係止片の操作部表面を摩擦係数の大きい表面状態としてなる炊飯器で、内蓋ユニットを取り外す時に係止片を略下方へ押した後の手前に引く操作の時に摩擦力が働き易く、引っ張りやすくいため、便利である。
【００１２】
第６の発明は、第１〜第５のいずれか１つの発明において、外蓋開放状態にて内蓋支えの係止片受け部の前側形状を、係止片の本体前側となる面よりも本体前方側へ凸としてなる炊飯器で、内蓋ユニットを蓋内面へ取付ける際、係止片と保持爪とを係合させるために内蓋ユニットの係止片取付け部を蓋へ押し付ける操作を行う時に、姿勢を変える係止片ではなく姿勢を変えない内蓋支えの係止片受け部を押すことができ、楽に取付けることができるため便利である。
【００１３】
以下、本発明の実施の形態について、図面を参照しながら説明する。なお、この実施の形態によって本発明が限定されるものではない。
【００１４】
（実施の形態１）
図１〜図２を用いて、本発明の実施の形態１の炊飯器を説明する。
【００１５】
図１は、本発明の実施の形態１の炊飯器の外蓋を開放した状態の斜視図である。図１において、１０は炊飯器のボディ（本体）である。ボディ１０には、ステンレス、鉄などの磁性体によって形成される鍋２０が収納される。ボディ１０の鍋収納部の下方や側面にはＩＨコイルやヒーター（図示しない）が設置されている。実施の形態１の炊飯器は、鍋２０を誘導加熱し、鍋２０内の調理物（図示しない）を加熱調理する。調理物は、炊飯前の米と水又は炊き上がったご飯等である。
【００１６】
外蓋３０は、鍋２０の上面を覆う位置にヒンジ側で回動自在に軸支され、他側でボディ１０と係脱自在となるように取付けられている。外蓋３０には内蓋取付け穴３１、及び、内蓋固定部である保持爪３２が設けられている。
【００１７】
４０は内蓋ユニットであり、ステンレスからなる内蓋４１と樹脂からなる内蓋支え４２の間に鍋パッキン４３が挟持されている。内蓋支え４２には係合部である内蓋フック４４、及び係止片受け部４５が連成されている。係止片受け部４５には、樹脂からなる係止片５０が、外蓋３０の開放状態にて使用者から操作部が見える位置に組み付けられている。
【００１８】
図２（ａ）は本発明の実施の形態１の炊飯器に内蓋ユニット４０を組付けた状態の部分斜視図、図２（ｂ）は、本発明の実施の形態１の炊飯器の内蓋支え係止片受け部と係止片の拡大図、図２（ｃ）は内蓋ユニット４０を組付けた状態での係止片５０中央を通る要部断面図である。
【００１９】
図２（ａ）において、６１は内蓋ユニット４０のヒンジ側の装着方向を示す矢印である。図２（ｂ）において、４７は軸穴、５１はステンレスなどの金属製の軸、６０は係止片５０を付勢するバネである。係止片５０はバネ６０をセットされた状態で係止片受け部４５に挿入された後、軸５１にて軸支される。図２（ｃ）において、３３は保持爪の誘い面であり、４６は係止片受け部背面、５２は係止片操作部、６２は係合解除時の係止片５０の操作方向を示す矢印である。矢印６２は外蓋３０を開放した状態では略下方を向いている。
【００２０】
上記の構成の炊飯器にて内蓋ユニット４０を外蓋３０に取付ける動作を説明する。
【００２１】
まず、外蓋３０を開放した状態にて、内蓋ユニット４０の内蓋フック４４を内蓋取付け穴３１に内側下方より収める。次に外蓋３０のヒンジ側にある保持爪３２に対して係止片受け部４５を矢印６１の方向へ押し付けるように操作すると、係止片５０が回動しつつ保持爪誘い面３３を乗り越え、バネ６０の付勢力によりの図２（ｃ）に示す姿勢となることにより係合し、これにより外蓋３０の内面に内蓋ユニット４０が取付けられる。
【００２２】
このような構成とした場合、保持爪３２と係止片５０との係合面が矢印６１に直行していることにより、矢印６１と逆方向に内蓋ユニット４０を引いても外れることはなく、外蓋３０の開閉時の衝撃による脱落も起こらない。
【００２３】
次に、内蓋ユニット４０を外蓋３０から取り外す動作を説明する。
【００２４】
内蓋ユニット４０を外蓋３０から取り外すには、まず係止片５０と保持爪３２の係合を解除する必要がある。係止片操作部５２を矢印６２の方向へ押すと、係止片５０が軸５１を中心に回動し、保持爪３２との係合が外れる。この状態にて矢印６１と逆方向に内蓋ユニット４０を引くと、内蓋ユニット４０のヒンジ側が外蓋３０から離れる。続けて内蓋ユニット４０を下方へ移動させると、内蓋フック４４が内蓋取付け穴３１から抜け、すべての係合が解除されることにより、内蓋ユニット４０を外蓋３０から取り外すことができる。
【００２５】
操作時、係止片操作部５２に親指を当て、係止片受け部背面４６に人差し指を当てて挟持すれば、係止片５０を略下方へ押す係合解除動作と内蓋ユニット４０を支え持つ作業が同時にできる。また一連の動作は、摘む→手前へ引く→下ろす、となり、使用者はスムーズに加熱板を取り外すことができる。
【００２６】
以上のように、実施の形態１の炊飯器によれば、使用者は内蓋ユニット４０をスムーズに外蓋３０から取り外すことができて、便利である。
【００２７】
さらに、係止片５０と内蓋支え４２の色を異なる明度の色とすると、内蓋ユニット４０を外蓋３０から取り外す時に、係止片操作部５２の位置がわかり易いため、さらに便利である。
【００２８】
（実施の形態２）
図３を用いて、本発明の実施の形態２の炊飯器を説明する。図３は、本発明の実施の形態２の炊飯器の内蓋支え係止片受け部と係止片の拡大図である。図示する部分以外の構成は実施の形態１の炊飯器（図１）と同じであるので説明を省略する。
【００２９】
図３において、４８は係止片受け部立ち面、５３は係合爪部、５４は係止片軸手、５５は操作前部凸形状である。係止片５０はバネ６０をセットされた状態で係止片受け部４５に係止片軸手５４を内側へ撓ませながら挿入され、係止片軸手５４が軸穴４７の位置に達した時に広がることにより軸支される。係止片操作部５２の鉛直方向形状は、本体前方側を後方側よりも凸としている。
【００３０】
実施の形態２の炊飯器では、係止片操作部５２の幅は、係合爪部５３の幅よりも広くなっている。これにより使用者は操作時に抑えられる範囲が広くなるため、係合を外しやすくなるとともに、内蓋ユニット４０の重量を支えやすくなり便利である。
【００３１】
加えて、係止片操作部５２の幅が係合爪部５３の幅よりも広いため、係止片５０を矢印６１の方向へ押しても係止片受け部立ち面４８に係止片操作部５２が当たり、軸部への負荷が低減されるため、軸に必要な耐久性が下がり、ステンレスなどの金属製の軸を設けずに係止片軸手５４などを係止片５０に連成することができ、経済的である。
【００３２】
また、内蓋４１がステンレスであるため、内蓋ユニット４０を係止片操作部５２と係止片受け部背面４６で挟持し支えた時、使用者から遠方に倒れようとする力が働く。これに対し、操作前部凸形状５５により内蓋ユニット４０を手前に倒す方向の力が入れやすく、扱いやすくなり、便利である。
【００３３】
さらに、係止片操作部５２の表面に細かい突起を設けたり、シボ加工を行ったりして摩擦係数の大きい状態とすれば、さらに扱いやすくなる。
【００３４】
（実施の形態３）
図４を用いて、本発明の実施の形態３の炊飯器を説明する。図４は、本発明の実施の形態３の炊飯器の内蓋ユニットの係止片受け部の拡大図である。図示する部分以外の構成は実施の形態１または２の炊飯器（図１〜３）と同じであるので説明を省略する。
【００３５】
図４において、４９は係止片受け部前面、５６は係止片前面であり、係止片受け部前面４９は係止片前面５６よりも外蓋３０開放状態で本体前方側へ凸となっている。
【００３６】
上記の構成の炊飯器にて、内蓋ユニット４０を外蓋３０に取付ける時、外蓋３０を開放した状態にて、内蓋ユニット４０の内蓋フック４４を内蓋取付け穴３１に内側下方より収め、次に外蓋３０のヒンジ側にある保持爪３２に対して係止片受け部４５を矢印６１の方向へ押し付けるように操作する。この時、係止片５０が回動しつつ保持爪誘い面３３を乗り越えるために、係止片前面５６を押していると回動の為に不安定な操作となるのだが、係止片受け部前面４９が係止片前面５６よりも本体前方側へ凸となっているために、矢印６１の方向へ押し付ける時は係止片前面５６ではなく係止片受け部前面４９を押すことになる。係止片受け部前面４９は内蓋ユニット４０を外蓋３０に取付ける操作において回動することがないため、操作が安定し、便利である。
【００３７】
以上のように、実施の形態４の発明によれば、使用者が内蓋ユニット４０を装着する時の動作が安定し、便利である。
【産業上の利用可能性】
【００３８】
本発明に係わる炊飯器は、家庭用又は業務用の炊飯器として有用である。
【図面の簡単な説明】
【００３９】
【図１】本発明の実施の形態１の炊飯器の斜視図
【図２】（ａ）本発明の実施の形態１の炊飯器の部分斜視図（ｂ）本発明の実施の形態１の炊飯器の要部拡大図（ｃ）本発明の実施の形態１の炊飯器の係止片中央を通る要部断面図
【図３】本発明の実施の形態２の炊飯器の内蓋ユニット固定部の要部拡大図
【図４】本発明の実施の形態３の炊飯器の内蓋ユニット固定部の要部拡大図
【図５】（ａ）従来の炊飯器の斜視図（ｂ）従来の炊飯器の内蓋ユニット固定部の要部断面図
【符号の説明】
【００４０】
１０  ボディ（本体）
２０  鍋
３０  外蓋
３１  内蓋取付け穴
３２  保持爪
３３  保持爪誘い面
４０  内蓋ユニット
４１  内蓋
４２  内蓋支え
４３  鍋パッキン
４４  内蓋フック
４５  係止片受け部
４６  係止片受け部背面
４７  軸穴
４８  係止片受け部立ち面
４９  係止片受け部前面
５０  係止片
５１  軸
５２  係止片操作部
５３  係合爪部
５４  係止片軸手
５５  操作前部凸形状
５６  係止片前面
６０  バネ
【図１】
2008036190.tif 000003
【図２】
2008036190.tif 000004
【図３】
2008036190.tif 000005
【図４】
2008036190.tif 000006
【図５】
2008036190.tif 000007